【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
互いに暗号通信を行なう第１制御手段と第２制御手段とを備えた遊技用装置を有する遊技用システムであって、
前記第１制御手段と前記第２制御手段との間で外部から取得した認証鍵を用いて暗号通信を行なう第１暗号通信処理手段と、
前記第１暗号通信処理手段による暗号通信の後に、該第１暗号通信処理手段による暗号通信よりもセキュリティレベルの高い暗号通信を前記第１制御手段と前記第２制御手段との間で行なう第２暗号通信処理手段とを備え、
前記第２暗号通信処理手段は、
前記第１制御手段から前記第２制御手段へ送信する暗号文の生成に用いる第１鍵を、前記第１制御手段と前記第２制御手段とで更新設定値に基づいて同じ更新方法により独自に更新する第１鍵更新処理を行なう第１鍵更新手段と、
該第１鍵更新手段により更新された第１鍵を用いて暗号文を生成する第１暗号手段と、
該第１暗号手段により生成された暗号文を前記第２制御手段が受信して前記第１鍵更新手段により更新された第１鍵を用いて復号する第１復号手段と、
前記第２制御手段から前記第１制御手段へ送信する暗号文の生成に用いる第２鍵を、前記第１制御手段と前記第２制御手段とで前記更新設定値に基づいて同じ更新方法により独自に更新する第２鍵更新処理を行なう第２鍵更新手段と、
該第２鍵更新手段により更新された第２鍵を用いて暗号文を生成する第２暗号手段と、
該第２暗号手段により生成された暗号文を前記第１制御手段が受信して前記第２鍵更新手段により更新された第２鍵を用いて復号する第２復号手段とを含み、
前記第１鍵更新手段は暗号文の送受信に応じて前記第１鍵更新処理を行ない、
前記第２鍵更新手段は暗号文の送受信に応じて前記第２鍵更新処理を行ない、
前記第１鍵更新手段で用いる前記更新設定値は、前記第１暗号通信処理手段による暗号通信で前記第２鍵更新手段に送信され、
前記第１暗号通信処理手段は、前記第１制御手段と前記第２制御手段との認証に用いる情報を対象とした暗号通信を行ない、
前記第２暗号通信処理手段は、前記第１制御手段と前記第２制御手段との間で通信する情報のうち少なくとも遊技機に関する情報を対象とした暗号通信を行なう、遊技用システム。
【請求項２】
互いに暗号通信を行なう第１制御手段と第２制御手段とを備え、対応する遊技機を動作させるための遊技用装置であって、
前記第１制御手段と前記第２制御手段との間で外部から取得した認証鍵を用いて暗号通信を行なう第１暗号通信処理手段と、
前記第１暗号通信処理手段による暗号通信の後に、該第１暗号通信処理手段による暗号通信よりもセキュリティレベルの高い暗号通信を前記第１制御手段と前記第２制御手段との間で行なう第２暗号通信処理手段とを備え、
前記第２暗号通信処理手段は、
前記第１制御手段から前記第２制御手段へ送信する暗号文の生成に用いる第１鍵を、前記第１制御手段と前記第２制御手段とで更新設定値に基づいて同じ更新方法により独自に更新する第１鍵更新処理を行なう第１鍵更新手段と、
該第１鍵更新手段により更新された第１鍵を用いて暗号文を生成する第１暗号手段と、
該第１暗号手段により生成された暗号文を前記第２制御手段が受信して前記第１鍵更新手段により更新された第１鍵を用いて復号する第１復号手段と、
前記第２制御手段から前記第１制御手段へ送信する暗号文の生成に用いる第２鍵を、前記第１制御手段と前記第２制御手段とで前記更新設定値に基づいて同じ更新方法により独自に更新する第２鍵更新処理を行なう第２鍵更新手段と、
該第２鍵更新手段により更新された第２鍵を用いて暗号文を生成する第２暗号手段と、
該第２暗号手段により生成された暗号文を前記第１制御手段が受信して前記第２鍵更新手段により更新された第２鍵を用いて復号する第２復号手段とを含み、
前記第１鍵更新手段は暗号文の送受信に応じて前記第１鍵更新処理を行ない、
前記第２鍵更新手段は暗号文の送受信に応じて前記第２鍵更新処理を行ないう、
前記第１鍵更新手段で用いる前記更新設定値は、前記第１暗号通信処理手段による暗号通信で前記第２鍵更新手段に送信され、
前記第１暗号通信処理手段は、前記第１制御手段と前記第２制御手段との認証に用いる情報を対象とした暗号通信を行ない、
前記第２暗号通信処理手段は、前記第１制御手段と前記第２制御手段との間で通信する情報のうち少なくとも遊技機に関する情報を対象とした暗号通信を行なう、遊技用装置。
【請求項３】
前記第１暗号通信処理手段は、外部から前記認証鍵を取得できない場合に、予め記憶してある仮情報を用いて互いに暗号通信を行なう、請求項１に記載の遊技用システム。
【請求項４】
前記第１暗号通信処理手段は、外部から前記認証鍵を取得できない場合に、予め記憶してある仮情報を用いて互いに暗号通信を行なう、請求項２に記載の遊技用装置。
【請求項５】
前記第１制御手段と前記第２制御手段との前記認証は、
認証方式の異なる複数種類の相互認証処理を前記第１制御手段と前記第２制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とを含む、請求項１または請求項３に記載の遊技用システム。
【請求項６】
前記第１制御手段と前記第２制御手段との前記認証は、
認証方式の異なる複数種類の相互認証処理を前記第１制御手段と前記第２制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とを含む、請求項２または請求項４に記載の遊技用装置。
【手続補正２】
【補正対象書類名】明細書
【補正対象項目名】発明の名称
【補正方法】変更
【補正の内容】
【発明の名称】遊技用システムおよび遊技用装置
【手続補正３】
【補正対象書類名】明細書
【補正対象項目名】０００１
【補正方法】変更
【補正の内容】
【０００１】
本発明は、互いに暗号通信を行なう第１制御手段と第２制御手段とを備えた遊技用システムおよび遊技用装置に関する。
【手続補正４】
【補正対象書類名】明細書
【補正対象項目名】０００６
【補正方法】変更
【補正の内容】
【０００６】
（１）  本発明は、互いに暗号通信を行なう第１制御手段（ＣＵ制御部３２３、またはＣＵ３、Ｐ台２、ジェットカウンタ、ＰＯＳ端末等）と第２制御手段（セキュリティチップ３２５ｂ、またはＣＵ３、Ｐ台２、ジェットカウンタ、ＰＯＳ端末等）とを備えた遊技用装置を有する遊技用システムであって、
前記第１制御手段と前記第２制御手段との間で外部から取得した認証鍵を用いて暗号通信を行なう第１暗号通信処理手段（ＳＥ１モードによる暗号通信）と、
前記第１暗号通信処理手段による暗号通信の後に、該第１暗号通信処理手段による暗号通信よりもセキュリティレベルの高い暗号通信を前記第１制御手段と前記第２制御手段との間で行なう第２暗号通信処理手段（ＳＥ２モードによる暗号通信）とを備え、
前記第２暗号通信処理手段は、
前記第１制御手段から前記第２制御手段へ送信する暗号文の生成に用いる第１鍵（図１３５（ａ）の下り用カウンタ）を、前記第１制御手段と前記第２制御手段とで更新設定値に基づいて同じ更新方法により独自に更新する第１鍵更新処理を行なう第１鍵更新手段（図１３５（ｃ）〜図１４１の下り用カウンタの更新処理）と、
該第１鍵更新手段により更新された第１鍵を用いて暗号文を生成する第１暗号手段（図１３５（ｃ）、図１４２（ａ）のＳ１０５、下り用カウンタを用いた暗号化）と、
該第１暗号手段により生成された暗号文を前記第２制御手段が受信して前記第１鍵更新手段により更新された第１鍵を用いて復号する第１復号手段（図１３６、図１４２（ｂ）のＳ１３３、下り用カウンタを用いた複合）と、
前記第２制御手段から前記第１制御手段へ送信する暗号文の生成に用いる第２鍵を、前記第１制御手段と前記第２制御手段とで前記更新設定値に基づいて同じ更新方法により独自に更新する第２鍵更新処理を行なう第２鍵更新手段（図１３５（ｃ）〜図１４１の上がり用カウンタの更新処理）と、
該第２鍵更新手段により更新された第２鍵を用いて暗号文を生成する第２暗号手段（図１３５（ｃ）、図１４２（ａ）のＳ１０５、上がり用カウンタを用いた暗号化）と、
該第２暗号手段により生成された暗号文を前記第１制御手段が受信して前記第２鍵更新手段により更新された第２鍵を用いて復号する第２復号手段（図１３６、図１４２（ｂ）のＳ１３３、上がり用カウンタを用いた複合）とを含み、
前記第１鍵更新手段は暗号文の送受信に応じて前記第１鍵更新処理を行ない（図１３５（ｃ）〜図１４１：下り用カウンタを加算更新）、
前記第２鍵更新手段は暗号文の送受信に応じて前記第２鍵更新処理を行ない（図１３５（ｃ）〜図１４１：上り用カウンタを加算更新）、
前記第１鍵更新手段で用いる前記更新設定値は、前記第１暗号通信処理手段による暗号通信で前記第２鍵更新手段に送信され、
前記第１暗号通信処理手段は、前記第１制御手段と前記第２制御手段との認証に用いる情報を対象とした暗号通信を行ない、
前記第２暗号通信処理手段は、前記第１制御手段と前記第２制御手段との間で通信する情報のうち少なくとも遊技機に関する情報を対象とした暗号通信を行なう。
【手続補正５】
【補正対象書類名】明細書
【補正対象項目名】００１４
【補正方法】変更
【補正の内容】
【００１４】
（５）  本発明の他の態様は、互いに暗号通信を行なう第１制御手段（ＣＵ制御部３２３、またはＣＵ３、Ｐ台２、ジェットカウンタ、ＰＯＳ端末等）と第２制御手段（セキュリティチップ３２５ｂ、またはＣＵ３、Ｐ台２、ジェットカウンタ、ＰＯＳ端末等）とを備え、対応する遊技機を動作させるための遊技用装置であって、
前記第１制御手段と前記第２制御手段との間で外部から取得した認証鍵を用いて暗号通信を行なう第１暗号通信処理手段（ＳＥ１モードによる暗号通信）と、
前記第１暗号通信処理手段による暗号通信の後に、該第１暗号通信処理手段による暗号通信よりもセキュリティレベルの高い暗号通信を前記第１制御手段と前記第２制御手段との間で行なう第２暗号通信処理手段（ＳＥ２モードによる暗号通信）とを備え、
前記第２暗号通信処理手段は、
前記第１制御手段から前記第２制御手段へ送信する暗号文の生成に用いる第１鍵（図１３５（ａ）の下り用カウンタ）を、前記第１制御手段と前記第２制御手段とで更新設定値に基づいて同じ更新方法により独自に更新する第１鍵更新処理を行なう第１鍵更新手段（図１３５（ｃ）〜図１４１の下り用カウンタの更新処理）と、
該第１鍵更新手段により更新された第１鍵を用いて暗号文を生成する第１暗号手段（図１３５（ｃ）、図１４２（ａ）のＳ１０５、下り用カウンタを用いた暗号化）と、
該第１暗号手段により生成された暗号文を前記第２制御手段が受信して前記第１鍵更新手段により更新された第１鍵を用いて復号する第１復号手段（図１３６、図１４２（ｂ）のＳ１３３、下り用カウンタを用いた複合）と、
前記第２制御手段から前記第１制御手段へ送信する暗号文の生成に用いる第２鍵を、前記第１制御手段と前記第２制御手段とで前記更新設定値に基づいて同じ更新方法により独自に更新する第２鍵更新処理を行なう第２鍵更新手段（図１３５（ｃ）〜図１４１の上がり用カウンタの更新処理）と、
該第２鍵更新手段により更新された第２鍵を用いて暗号文を生成する第２暗号手段（図１３５（ｃ）、図１４２（ａ）のＳ１０５、上がり用カウンタを用いた暗号化）と、
該第２暗号手段により生成された暗号文を前記第１制御手段が受信して前記第２鍵更新手段により更新された第２鍵を用いて復号する第２復号手段（図１３６、図１４２（ｂ）のＳ１３３、上がり用カウンタを用いた複合）とを含み、
前記第１鍵更新手段は暗号文の送受信に応じて前記第１鍵更新処理を行ない（図１３５（ｃ）〜図１４１：下り用カウンタを加算更新）、
前記第２鍵更新手段は暗号文の送受信に応じて前記第２鍵更新処理を行ない（図１３５（ｃ）〜図１４１：上り用カウンタを加算更新）、
前記第１鍵更新手段で用いる前記更新設定値は、前記第１暗号通信処理手段による暗号通信で前記第２鍵更新手段に送信され、
前記第１暗号通信処理手段は、前記第１制御手段と前記第２制御手段との認証に用いる情報を対象とした暗号通信を行ない、
前記第２暗号通信処理手段は、前記第１制御手段と前記第２制御手段との間で通信する情報のうち少なくとも遊技機に関する情報を対象とした暗号通信を行なう。
【手続補正６】
【補正対象書類名】明細書
【補正対象項目名】００１６
【補正方法】変更
【補正の内容】
【００１６】
（６）  上記（５）の遊技用装置において、前記第１鍵更新手段による更新される前の初期の第１鍵を前記第１暗号通信処理手段により暗号化して前記第１制御手段および前記第２制御手段の一方から他方に配信して第１鍵を共有する第１鍵共有手段（図１３０：下り用初期ベクタ部の値を生成してＳＣからＣＵ制御部へ送信、Ｓ１０１〜Ｓ１０３）と、
前記第２鍵更新手段による更新される前の初期の第２鍵を前記第１暗号通信処理手段により暗号化して前記第１制御手段および前記第２制御手段の一方から他方に配信して第２鍵を共有する第２鍵共有手段（図１３０：上り用初期ベクタ部の値を生成してＳＣからＣＵ制御部へ送信、Ｓ１０１〜Ｓ１０３）とを備える。
【手続補正７】
【補正対象書類名】明細書
【補正対象項目名】００１８
【補正方法】変更
【補正の内容】
【００１８】
（７）  上記（６）の遊技用装置において、前記第１鍵は、前記初期の第１鍵のデータを更新することなく引継ぐ第１初期ベクタ部（図１３５（ａ）：下り用初期ベクタ部Ｒ１）と、更新される第１更新部（図１３５（ａ）：電文カウンタ部Ｎと暗号ブロックカウンタ部Ｉ）とを含み、
前記第２鍵は、前記初期の第２鍵のデータを更新することなく引継ぐ第２初期ベクタ部（図１３５（ｂ）：上り用初期ベクタ部Ｒ２）と、更新される第２更新部（図１３５（ｂ）：電文カウンタ部Ｎと暗号ブロックカウンタ部Ｉ）とを含み、
前記第１鍵更新手段は、前記第１初期ベクタ部は更新せず前記第１更新部を更新し（Ｓ１０５〜Ｓ１１０）、
前記第２鍵更新手段は、前記第２初期ベクタ部は更新せず前記第２更新部を更新し（Ｓ１０５〜Ｓ１１０）、
前記第１初期ベクタ部と前記第２初期ベクタ部とは異なる値であり（Ｒ１とＲ２とは値が異なる）、
前記第１鍵共有手段は、前記第１初期ベクタ部を前記初期の第１鍵として配信して共有し（図１３０）、
前記第２鍵共有手段は、前記第１初期ベクタ部を前記初期の第２鍵として配信して共有する（図１３０）。
【手続補正８】
【補正対象書類名】明細書
【補正対象項目名】００２０
【補正方法】変更
【補正の内容】
【００２０】
（８）  上記（６）または（７）の遊技用装置において、前記第１鍵共有手段は、暗号通信を新たに開始する毎に新たな第１初期ベクタ部を前記初期の第１鍵として配信して共有し（電源投入される毎に暗号通信が新たに開始されて通信鍵交換シーケンスが実行され（図１２３）下り用初期ベクタ部の値が配信される（図１３０）、
前記第２鍵共有手段は、暗号通信を新たに開始する毎に新たな前記第１初期ベクタ部を前記初期の第２鍵として配信して共有する（電源投入される毎に暗号通信が新たに開始されて通信鍵交換シーケンスが実行され（図１２３）下り用初期ベクタ部の値が配信される（図１３０）。
【手続補正９】
【補正対象書類名】明細書
【補正対象項目名】００２１
【補正方法】変更
【補正の内容】
【００２１】
上記構成によれば、暗号通信を新たに開始する毎に新たな第１初期ベクタ部と第２初期ベクタ部とが配信されて共有されるために、暗号通信を新たに開始する毎に新たな初期ベクタ部を用いた新たな暗号通信が行なわれることとなり、鍵の継続使用によるセキュリティの低下を防止することができる。
（９）  上記（１）の遊技用システムにおいて、
前記第１暗号通信処理手段は、外部から前記認証鍵を取得できない場合に、予め記憶してある仮情報を用いて互いに暗号通信を行なう。
（１０）  上記（５）の遊技用装置において、
前記第１暗号通信処理手段は、外部から前記認証鍵を取得できない場合に、予め記憶してある仮情報を用いて互いに暗号通信を行なう。
（１１）  上記（１）または（９）の遊技用システムにおいて、
前記第１制御手段と前記第２制御手段との前記認証は、
認証方式の異なる複数種類の相互認証処理を前記第１制御手段と前記第２制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とを含む。
（１２）  上記（５）または（１０）の遊技用装置において、
前記第１制御手段と前記第２制御手段との前記認証は、
認証方式の異なる複数種類の相互認証処理を前記第１制御手段と前記第２制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とを含む。